【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれ、少なくとも所定配列で複数の障害釘が前面側から植設される遊技領域を有した透明樹脂からなる遊技パネルを正面側に備えた遊技演出ユニットと、
前記遊技演出ユニットの略正面中央に設けられるとともに、前記遊技領域に対してほぼ全域を占めるように表出する大きさを有し、前記遊技パネルの背後にて所定の演出画像を表示可能な演出表示装置と、
前記遊技演出ユニットの正面において前記演出表示装置の外縁に沿って設けられるとともに、前記遊技領域に対して該演出表示装置と重複しない位置で表出するように略均等に配置され、前記遊技パネルの背後にて所定の態様で点灯又は点滅可能な複数の電飾装置と、
前記遊技領域に設けられ、該遊技領域に向けて打ち込まれた遊技球を受け入れ可能な受入口と、
遊技の進行を司る主制御手段と、
前記主制御手段からの指令を受信して演出制御を司る副制御手段と、
を備えた遊技機であって、
前記主制御手段は、
前記受入口への遊技球の受け入れを検出する受入検出手段、
前記受入検出手段による前記受入口への遊技球の受け入れを検出したことに基づいて、少なくとも大当たりの当落にかかる判定を行う当落判定処理を実行する抽選手段、
および、前記当落判定処理において前記大当たりに当選したと判定されたことに基づいて遊技者に有利な大当たり遊技を実行可能な大当たり遊技実行手段、
を少なくとも有しており、
前記副制御手段は、
前記主制御手段から送信される指令に基づいて、前記演出表示装置に表示される演出画像の表示制御を行う演出表示制御手段、
および、前記主制御手段から送信される指令に基づいて、前記複数の電飾装置の点灯又は点滅の電飾制御を行う電飾制御手段、
を少なくとも有するとともに、前記主制御手段から特殊発光演出を指示する指令を受信すると、前記演出表示制御手段および前記電飾制御手段により前記遊技演出ユニットの略正面全体を一体の演出領域として利用した特殊発光演出を実行するものであり、
前記特殊発光演出は、
前記演出表示制御手段が、前記演出表示装置における表示領域を暗転させたのちに、当該表示領域の略中央位置から外縁方向に向けて放射状に複数の光の帯が延びる態様の光渦画像を表示制御するとともに、
前記電飾制御手段が、前記演出表示装置に表示される前記光渦画像に連動して、前記複数の電飾装置のうちで少なくとも当該光渦画像における複数の光の帯が各々延びる方向に位置する当該複数の電飾装置を点灯制御して、
前記光渦画像において表現される複数の光の帯が、前記演出表示装置の表示領域を超えて前記複数の電飾装置により連続して表現されることにより、前記遊技演出ユニットの略正面全体を一体の演出領域に擬制するとともに当該演出領域において一の連続した演出を実現したものであって、
前記複数の障害釘および前記受入口を含めて、前記遊技領域に配置すべき前配置部材は、
前記演出表示装置および前記複数の電飾装置が前記遊技パネルの後側に設けられたことにより、当該演出表示装置および当該複数の電飾装置によって制限されることなく前記遊技領域において適宜配置可能である一方、前記遊技領域における前記前配置部材の配置態様に拘らず、前記遊技演出ユニットの略正面全体を使用する前記特殊発光演出が実行可能である
ことを特徴とする遊技機。
【請求項２】
前記主制御手段は、前記副制御手段によって前記抽選手段の抽選結果を導出させるための演出パターンを決定する演出パターン決定手段を有しており、
前記副制御手段は、前記演出パターン決定手段により決定された演出パターンに基づいて、前記演出表示制御手段および前記電飾制御手段により前記特殊発光演出を実行し得る
ことを特徴とする請求項１に記載の遊技機。
【請求項３】
前記副制御手段は、前記演出パターン決定手段により決定された演出パターンに基づいて、前記演出表示制御手段により前記演出表示装置において所定の遊技態様で装飾図柄の変動表示を行ったのちに、当該装飾図柄の停止表示によって前記抽選手段の抽選結果を導出する一方、当該演出パターンが前記特殊発光演出を含むときは、前記装飾図柄の変動表示を中断する態様で、前記演出表示制御手段および前記電飾制御手段による前記特殊発光演出を実行し、当該特殊発光演出が実行されたのちに前記装飾図柄の停止表示を行う
ことを特徴とする請求項２に記載の遊技機。
【手続補正２】
【補正対象書類名】明細書
【補正対象項目名】０００８
【補正方法】変更
【補正の内容】
【０００８】
手段１．遊技者の操作によって遊技媒体が打ち込まれ、少なくとも所定配列で複数の障害釘が前面側から植設される遊技領域を有した透明樹脂からなる遊技パネルを正面側に備えた遊技演出ユニットと、前記遊技演出ユニットの略正面中央に設けられるとともに、前記遊技領域に対してほぼ全域を占めるように表出する大きさを有し、前記遊技パネルの背後にて所定の演出画像を表示可能な演出表示装置と、前記遊技演出ユニットの正面において前記演出表示装置の外縁に沿って設けられるとともに、前記遊技領域に対して該演出表示装置と重複しない位置で表出するように略均等に配置され、前記遊技パネルの背後にて所定の態様で点灯又は点滅可能な複数の電飾装置と、前記遊技領域に設けられ、該遊技領域に向けて打ち込まれた遊技球を受け入れ可能な受入口と、遊技の進行を司る主制御手段と、前記主制御手段からの指令を受信して演出制御を司る副制御手段と、を備えた遊技機であって、前記主制御手段は、前記受入口への遊技球の受け入れを検出する受入検出手段、前記受入検出手段による前記受入口への遊技球の受け入れを検出したことに基づいて、少なくとも大当たりの当落にかかる判定を行う当落判定処理を実行する抽選手段、
および、前記当落判定処理において前記大当たりに当選したと判定されたことに基づいて遊技者に有利な大当たり遊技を実行可能な大当たり遊技実行手段、を少なくとも有しており、前記副制御手段は、前記主制御手段から送信される指令に基づいて、前記演出表示装置に表示される演出画像の表示制御を行う演出表示制御手段、および、前記主制御手段から送信される指令に基づいて、前記複数の電飾装置の点灯又は点滅の電飾制御を行う電飾制御手段、を少なくとも有するとともに、前記主制御手段から特殊発光演出を指示する指令を受信すると、前記演出表示制御手段および前記電飾制御手段により前記遊技演出ユニットの略正面全体を一体の演出領域として利用した特殊発光演出を実行するものであり、前記特殊発光演出は、前記演出表示制御手段が、前記演出表示装置における表示領域を暗転させたのちに、当該表示領域の略中央位置から外縁方向に向けて放射状に複数の光の帯が延びる態様の光渦画像を表示制御するとともに、前記電飾制御手段が、前記演出表示装置に表示される前記光渦画像に連動して、前記複数の電飾装置のうちで少なくとも当該光渦画像における複数の光の帯が各々延びる方向に位置する当該複数の電飾装置を点灯制御して、前記光渦画像において表現される複数の光の帯が、前記演出表示装置の表示領域を超えて前記複数の電飾装置により連続して表現されることにより、前記遊技演出ユニットの略正面全体を一体の演出領域に擬制するとともに当該演出領域において一の連続した演出を実現したものであって、前記複数の障害釘および前記受入口を含めて、前記遊技領域に配置すべき前配置部材は、前記演出表示装置および前記複数の電飾装置が前記遊技パネルの後側に設けられたことにより、当該演出表示装置および当該複数の電飾装置によって制限されることなく前記遊技領域において適宜配置可能である一方、前記遊技領域における前記前配置部材の配置態様に拘らず、前記遊技演出ユニットの略正面全体を使用する前記特殊発光演出が実行可能であることを特徴とする。